(57)【要約】【課題】安価に実施可能であって、侵入者等がフェンスを乗り越えたり破ったりするのを検知することができるフェンス用センサ装置および信号線を備えたフェンスを提供する。【解決手段】上部接続管３は、内部を信号線７が貫通している。各フェンス本体５は、支柱管の長さ方向に伸縮性を有し、伸張した状態で各支柱管および各上部接続管３に固定されている。基部１１は、上部接続管３に取り付けられている。伸縮部材１２は、一端がフェンス本体５に、他端が基部１１に取り付けられている。第１接点１３および第２接点１４は信号線７に接続され、第１接点１３は基部１１に、第２接点１４は伸縮部材１２に取り付けられている。フェンス本体５が切断されたとき、伸縮部材１２が収縮して第２接点１４が第１接点１３から離れ、所定の荷重の印加により伸縮部材１２が伸長するとき、第２接点１４が第１接点１３から離れて電気的に切断される。【選択図】図１
2005290865.tif 000002
【特許請求の範囲】
【請求項１】
基部と伸縮部材と第１接点と第２接点とを有し、
前記伸縮部材は伸縮可能であって一端にフェンス取付部を有し他端が前記基部に取り付けられ、
前記第１接点は信号線に接続可能であって前記基部に取り付けられ、
前記第２接点は信号線に接続可能であって前記伸縮部材に取り付けられ、前記第１接点に前記伸縮部材の伸縮に応じて電気的に切断されるよう接続されていることを、
特徴とするフェンス用センサ装置。
【請求項２】
複数の支柱管と複数の接続管と複数のフェンス本体と信号線と請求項１記載のフェンス用センサ装置とを有し、
各接続管は両端が各支柱管の側部に接続され内部を前記信号線が貫通しており、
各フェンス本体は前記支柱管の長さ方向に伸縮性を有し伸張した状態で各支柱管および各接続管に固定されて各支柱管および各接続管の間を塞いでおり、
前記基部は前記接続管に取り付けられ、
前記伸縮部材は、前記フェンス本体が切断されたとき収縮して前記第２接点が前記第１接点から離れて電気的に切断され、所定の荷重の印加により伸長するとき前記第２接点が前記第１接点から離れて電気的に切断されるよう伸縮可能に前記フェンス取付部が前記フェンス本体に取り付けられており、
前記第１接点および前記第２接点は前記信号線に接続されていることを、
特徴とする信号線を備えたフェンス。
【請求項３】
前記フェンス取付部は前記フェンス本体に対し前記支柱管の長さ方向に取付位置を調節可能に取り付けられ、前記第１接点は前記基部に対し前記伸縮部材の伸縮方向に取付位置を調節可能に取り付けられていることを、
特徴とする請求項２記載の信号線を備えたフェンス。
【発明の詳細な説明】
【技術分野】
【０００１】
本発明は、フェンス用センサ装置および信号線を備えたフェンスに関する。
【背景技術】
【０００２】
従来、フェンスにセンサを取り付けて侵入を検知する装置として、光ファイバを備えた検知線をフェンスに沿って敷設し、フェンスを乗り越えたり破ったりすると、検知線が切断または破損して侵入を検知できるものがある（例えば、特許文献１参照）。また、有刺線フェンスの導電線から成る芯線に、遮断すると警報が作動する電流を流したものもある（例えば、特許文献２参照）。
【０００３】
【特許文献１】特開２０００−８２１８７号公報
【特許文献２】特公平７−６２４１３号公報
【発明の開示】
【発明が解決しようとする課題】
【０００４】
しかしながら、特許文献１記載の装置は、フェンスを切断して侵入するのを検出するには、フェンス全体に光ファイバを設ける必要があるため、製造費が高額になるという課題があった。また、特許文献２記載の装置は、フェンスを乗り越えるときには電流が遮断されないため、侵入を検知することができないという課題があった。
【０００５】
本発明は、このような課題に着目してなされたもので、安価に実施可能であって、侵入者等がフェンスを乗り越えたり破ったりするのを検知することができるフェンス用センサ装置および信号線を備えたフェンスを提供することを目的としている。
【課題を解決するための手段】
【０００６】
上記目的を達成するために、本発明に係るフェンス用センサ装置は、基部と伸縮部材と第１接点と第２接点とを有し、前記伸縮部材は伸縮可能であって一端にフェンス取付部を有し他端が前記基部に取り付けられ、前記第１接点は信号線に接続可能であって前記基部に取り付けられ、前記第２接点は信号線に接続可能であって前記伸縮部材に取り付けられ、前記第１接点に前記伸縮部材の伸縮に応じて電気的に切断されるよう接続されていることを、特徴とする。
【０００７】
本発明に係る信号線を備えたフェンスは、複数の支柱管と複数の接続管と複数のフェンス本体と信号線と本発明に係るフェンス用センサ装置とを有し、各接続管は両端が各支柱管の側部に接続され内部を前記信号線が貫通しており、各フェンス本体は前記支柱管の長さ方向に伸縮性を有し伸張した状態で各支柱管および各接続管に固定されて各支柱管および各接続管の間を塞いでおり、前記基部は前記接続管に取り付けられ、前記伸縮部材は、前記フェンス本体が切断されたとき収縮して前記第２接点が前記第１接点から離れて電気的に切断され、所定の荷重の印加により伸長するとき前記第２接点が前記第１接点から離れて電気的に切断されるよう伸縮可能に前記フェンス取付部が前記フェンス本体に取り付けられており、前記第１接点および前記第２接点は前記信号線に接続されていることを、特徴とする。
【０００８】
本発明に係るフェンス用センサ装置は、本発明に係る信号線を備えたフェンスで好適に用いられる。本発明に係るフェンス用センサ装置は、既存のフェンスに取り付けられてもよい。
【０００９】
本発明に係る信号線を備えたフェンスは、各フェンス本体が支柱管の長さ方向に伸張した状態で各支柱管および各接続管に固定されているため、侵入者等がフェンス本体を切断すると、フェンス本体が支柱管の長さ方向に収縮する。これにより、フェンス本体に取り付けられた伸縮部材も収縮し、第２接点が第１接点から離れて電気的に切断される。この切断を信号線を介して検出し、侵入者等がフェンスを破るのを検知することができる。
【００１０】
また、侵入者等がフェンス本体を乗り越えるため、手または足をフェンス本体に引っ掛けたとき、フェンス本体に下向きの荷重が印加される。このため、侵入者等の手または足を引っ掛けた箇所より上の部分ではフェンス本体が伸張し、それより下の部分ではフェンス本体が収縮する。これにより、フェンス本体に取り付けられた伸縮部材が伸張または収縮し、第２接点が第１接点から離れて電気的に切断される。この切断を信号線を介して検出し、侵入者等がフェンスを乗り越えるのを検知することができる。
【００１１】
また、侵入者等が信号線を接続管とともにまたは単独で切断したときにも、その切断を検知することができる。本発明に係るフェンス用センサ装置は、フェンス全体に設ける必要はなく、フェンス本体の切断および荷重の印加を検出可能な位置に設ければ、侵入者等がフェンスを乗り越えたり破ったりするのを検知することができるので、安価に実施することができる。
【００１２】
本発明に係る信号線を備えたフェンスでは、信号線は一端が第１接点に接続された第１信号線と、一端が第２接点に接続された第２信号線とから成っていてもよい。この場合、第１信号線の他端と第２信号線の他端との間に電流を流し、その電流を監視して第２接点が第１接点から離れて電気的に切断されるのを検出することができる。
【００１３】
本発明に係る信号線を備えたフェンスでは、前記フェンス取付部は前記フェンス本体に対し前記支柱管の長さ方向に取付位置を調節可能に取り付けられ、前記第１接点は前記基部に対し前記伸縮部材の伸縮方向に取付位置を調節可能に取り付けられていることが好ましい。この場合、フェンス取付部の取付位置を調節して、フェンス本体に伸縮部材を伸縮可能に取り付ける。次に、第１接点が第２接点に接続するよう、第１接点の取付位置を調節する。こうして、フェンス本体の切断および荷重の印加の検出に適した状態に、伸縮部材の張力を調節することができる。
【発明の効果】
【００１４】
本発明によれば、安価に実施可能であって、侵入者等がフェンスを乗り越えたり破ったりするのを検知することができるフェンス用センサ装置および信号線を備えたフェンスを提供することができる。
【発明を実施するための最良の形態】
【００１５】
以下、図面に基づき、本発明の実施の形態について説明する。
図１および図２は、本発明の実施の形態のフェンス用センサ装置および信号線を備えたフェンスを示している。
図２に示すように、信号線を備えたフェンス１は、複数の支柱管２と複数の上部接続管３と複数の下部接続管４と複数のフェンス本体５とフェンス用センサ装置６と信号線７とを有している。
【００１６】
図２に示すように、各支柱管２は、スチール管から成り、並列に所定の間隔で立設されている。
各上部接続管３は、スチール管から成っている。各上部接続管３は、両端が各支柱管２の上部の側部に接続され、各支柱管２を挟んで横方向に連続して伸びている。
各下部接続管４は、スチール管から成っている。各下部接続管４は、両端が各支柱管２の下部の側部に接続され、各上部接続管３と間隔をあけて平行に対向している。各下部接続管４は、各支柱管２を挟んで横方向に連続して伸びている。
【００１７】
各フェンス本体５は、ステンレス線の線材により形成されたひし形金網から成る。各フェンス本体５は、各支柱管２、各上部接続管３および各下部接続管４に固定されて、各支柱管２、各上部接続管３および各下部接続管４の各管による四角形の枠の間を塞いでいる。各フェンス本体５は、支柱管２の長さ方向に伸縮性を有し、伸張した状態で固定されている。各フェンス本体５は、各支柱管２を挟んで横方向に連続して伸びている。
【００１８】
図１に示すように、フェンス用センサ装置６は、基部１１と伸縮部材１２と第１接点１３と第２接点１４とを有している。
基部１１は、スチール製で、細長い板状の取付部１１ａと、取付部１１ａの両縁に沿って取付部１１ａの一方の面に対して垂直に設けられた１対の側壁部１１ｂ，１１ｃと、取付部１１ａおよび各側壁部１１ｂ，１１ｃにより３方を囲まれたセンサ取付空間１１ｄとを有している。基部１１は、センサ取付空間１１ｄの開放部を下方に向け、上部接続管３に沿って取り付けられている。基部１１は、取付部１１ａの外側の面が上部接続管３の下部に固定されている。
【００１９】
伸縮部材１２は、コイルバネから成り、伸縮可能である。伸縮部材１２は、一端にフェンス取付部１２ａを有し、センサ取付空間１１ｄの内部で、他端が基部１１の取付部１１ａの内側の面に取り付けられている。伸縮部材１２は、伸縮可能にフェンス取付部１２ａがフェンス本体５に取り付けられている。フェンス取付部１２ａは、位置調節部１２ｂにより、フェンス本体５に対し支柱管２の長さ方向に取付位置を調節可能に取り付けられている。
【００２０】
第１接点１３は、導電体から成り、センサ取付空間１１ｄの内部で、基部１１の一方の側壁部１１ｂの内側の面に取り付けられている。第１接点１３は、位置調節部１３ａにより、基部１１に対し伸縮部材１２の伸縮方向に取付位置を調節可能に取り付けられている。
第２接点１４は、導電体から成り、第１接点１３に接続されて、センサ取付空間１１ｄの内部で伸縮部材１２の側部に取り付けられている。
【００２１】
フェンス用センサ装置６は、フェンス本体５が切断されたとき、伸縮部材１２が収縮して第２接点１４が第１接点１３から離れて電気的に切断され、所定の荷重の印加により伸縮部材１２が伸長するとき、第２接点１４が第１接点１３から離れて電気的に切断されるよう構成されている。
【００２２】
信号線７は、芯線が銅製の同軸ケーブルから成っている。信号線７は、既設のフェンスに設置するため、信号専用のケーブルを使用してもよく、上部接続管３の内部に収容されていなくてもよい。信号線７は、一端が第１接点１３に接続された第１信号線７ａと、一端が第２接点１４に接続された第２信号線７ｂとから成っている。第１信号線７ａおよび第２信号線７ｂは、上部接続管３の内部を貫通している。
【００２３】
信号線を備えたフェンス１は、第１信号線７ａの他端と第２信号線７ｂの他端との間に電流を流し、その抵抗値を測定することによりその電流を監視して、第２接点１４が第１接点１３から離れて電気的に切断されるのを検出するよう構成されている。
【００２４】
なお、図２に示すように、支柱管２の上端には、侵入者を防ぐための忍び返し２１や、照明装置または監視カメラ等２２が取り付けられている。また、支柱管２には、非常用電話２３が取り付けられている。
【００２５】
次に、作用について説明する。
図１に示すように、信号線を備えたフェンス１は、各フェンス本体５が支柱管２の長さ方向に伸張した状態で各支柱管２、各上部接続管３および各下部接続管４に固定されているため、侵入者等がフェンス本体５を切断すると、フェンス本体５が支柱管２の長さ方向に収縮する。これにより、フェンス本体５に取り付けられた伸縮部材１２も収縮し、第２接点１４が第１接点１３から離れて電気的に切断される。この切断を第１信号線７ａおよび第２信号線７ｂを介して検出し、侵入者等がフェンスを破るのを検知することができる。
【００２６】
また、侵入者等がフェンス本体５を乗り越えるため、手または足をフェンス本体５に引っ掛けたとき、フェンス本体５に下向きの荷重が印加される。このため、侵入者等の手または足を引っ掛けた箇所より上の部分ではフェンス本体５が伸張し、それより下の部分ではフェンス本体５が収縮する。これにより、フェンス本体５に取り付けられた伸縮部材１２が伸張し、第２接点１４が第１接点１３から離れて電気的に切断される。この切断を第１信号線７ａおよび第２信号線７ｂを介して検出し、侵入者等がフェンスを乗り越えるのを検知することができる。
【００２７】
また、侵入者等が第１信号線７ａおよび第２信号線７ｂを上部接続管３とともにまたはそれぞれを単独で切断したときにも、その切断を検知することができる。フェンス用センサ装置６は、フェンス全体に設ける必要はなく、フェンス本体５の切断および荷重の印加を検出可能な位置に設ければ、侵入者等がフェンスを乗り越えたり破ったりするのを検知することができるので、安価に実施することができる。また、フェンス用センサ装置６を設ける位置を、任意に細かく設定することができる。
【００２８】
信号線を備えたフェンス１は、まず、フェンス取付部１２ａの取付位置を位置調節部１２ｂにより調節して、フェンス本体５に伸縮部材１２を伸縮可能に取り付ける。次に、第１接点１３が第２接点１４に接続するよう、第１接点１３の取付位置を位置調節部１３ａにより調節する。こうして、フェンス本体５の切断および荷重の印加の検出に適した状態に、伸縮部材１２の張力を調節することができる。
【００２９】
なお、伸縮部材１２は長さの変化で抵抗値が変化する素材から成り、第１接点１３および第２接点１４はそれぞれ伸縮部材１２の異なる端部に設けられていてもよい。この場合、第１信号線７ａの他端と第２信号線７ｂの他端との間に電流を流し、その抵抗値の変化を測定することにより、伸縮部材１２の長さの変化を検出することができる。侵入者等がフェンス本体５を切断すると、フェンス本体５が支柱管２の長さ方向に収縮し、伸縮部材１２も収縮するため、抵抗値が変化し、侵入者等がフェンスを破るのを検知することができる。また、侵入者等がフェンス本体５を乗り越えるため手または足をフェンス本体５に引っ掛けたとき、フェンス本体５に下向きの荷重が印加され伸縮部材１２が伸張するため、抵抗値が変化し、侵入者等がフェンスを乗り越えるのを検知することができる。
【図面の簡単な説明】
【００３０】
【図１】本発明の実施の形態のフェンス用センサ装置および信号線を備えたフェンスを示す断面図である。
【図２】本発明の実施の形態のフェンス用センサ装置および信号線を備えたフェンスを示す斜視図である。
【符号の説明】
【００３１】
１    信号線を備えたフェンス
２    支柱管
３    上部接続管
４    下部接続管
５    フェンス本体
６    フェンス用センサ装置
７    信号線
１１  基部
１２  伸縮部材
１３  第１接点
１４  第２接点
【図１】
2005290865.tif 000003
【図２】
2005290865.tif 000004